(57)【要約】【課題】建物の基礎の土台部おいて、十分な取付強度を得ることができる、施工性も良好な外装下地材取付用金具を提供する。【解決手段】本発明に係る外装下地材取付用金具は、垂直平面上の取付部と、取付部の前方側に向かって垂直方向下方に且つ取付部の後方側向かって垂直方向上方に傾斜した第一支持片と、第一支持片の傾斜の下端部側で接地する前方支持端部と、第一支持片の傾斜面には固定具を取り付けるための固定孔と、第一支持片の傾斜上方側の端部となる支持片頂部の垂直下方よりも後方側で接地する後方支持端部を有する第ニ支持片とを形成した。【選択図】図１
2018172954.tif 000002
【特許請求の範囲】
【請求項１】
垂直平面上の取付部と、取付部の前方側に向かって垂直方向下方に且つ取付部の後方側向かって垂直方向上方に傾斜した第一支持片と、第一支持片の傾斜の下端部側で接地する前方支持端部と、第一支持片の傾斜面には固定具を取り付けるための固定孔と、第一支持片の傾斜上方側の端部となる支持片頂部の垂直下方よりも後方側で接地する後方支持端部を有する第ニ支持片とを形成したことを特徴とする外装下地材取付用金具。
【請求項２】
請求項１に記載の外装下地材取付用金具において、前方支持端部および／または後方支持端部に凸状の支持突起を形成したことを特徴とする外装下地材取付用金具。
【発明の詳細な説明】
【技術分野】
【０００１】
本発明は外装下地材取付用金具に関するものである。
【背景技術】
【０００２】
従来、外壁の改修において、古くなった既存外壁を撤去することなく、既存外壁上に新規胴縁を配し、その新規胴縁上に新規外壁を施工する改修方法いわゆるカバー工法が知られている。
【先行技術文献】
【特許文献】
【０００３】
【特許文献１】特開２００１−１０７５３５号公報
【発明の概要】
【発明が解決しようとする課題】
【０００４】
特許文献１は、既存外壁上に配した胴縁と、胴縁上に固定して既存外壁を覆うように配した新規外壁材から構成され、胴縁を固定する固定具は既存外壁を貫通して既存外壁を支持する下地（アングル材やＨ型鋼等）に打ち込まれている外壁改修構造である。
【０００５】
しかしながら、このような既存外壁を支持する下地（アングル材やＨ型鋼等）に胴縁を固定する外壁改修構造を採用しようとした際に、建物によっては、建物の基礎部に固定具を固定するための適当な下地（アングル材やＨ型鋼等）が存在しない場合があり、建物基礎の土台部においてこのような構造が採用できず、十分な取付強度を得ることが難しい場合があった。
【課題を解決するための手段】
【０００６】
本発明はこのような課題を解決するために、以下の手段を提供している。
【０００７】
垂直平面上の取付部と、取付部の前方側に向かって垂直方向下方に且つ取付部の後方側向かって垂直方向上方に傾斜した第一支持片と、第一支持片の傾斜の下端部側で接地する前方支持端部と、第一支持片の傾斜面には固定具を取り付けるための固定孔と、第一支持片の傾斜上方側の端部となる支持片頂部の垂直下方よりも後方側で接地する後方支持端部を有する第ニ支持片とを形成した外装下地材取付用金具を提供する。
【０００８】
なお、前方支持端部および／または後方支持端部には凸状の支持突起を形成することが好ましい。
【発明の効果】
【０００９】
本発明に係る外装下地材取付用金具によれば、建物の基礎の土台部おいて、十分な取付強度を得ることができ、施工性も良好な外装下地材取付用金具が得られる。
【図面の簡単な説明】
【００１０】
【図１】本発明に係る外装下地材取付用金具の実施例１を示す参考斜視図である。
【図２】本発明に係る外装下地材取付用金具の実施例２を示す参考斜視図である。
【図３】本発明に係る外装下地材取付用金具のその他の実施例を示す参考斜視図である。
【図４】本発明に係る外装下地材取付用金具に施工する胴縁取付用金具の例を示す参考斜視図である。
【図５】本発明に係る外装下地材取付用金具に施工する胴縁の例を示す参考斜視図である。
【図６】本発明に係る外装下地材取付用金具の施工状態を示す断面図である。
【発明を実施するための形態】
【００１１】
以下に図面を用いて、本発明に係る外装下地材取付用金具の実施例について説明する。
【００１２】
図１に示す実施例１の外装下地材取付用金具１は、胴縁取付用金具Ａや胴縁Ｂを取り付ける垂直平面上の取付部２と、外装下地材取付用金具１を基礎の土台部Ｋに固定する際に固定具αを外装材取付用金具１の前方斜め上方から挿入し留め付けることができる固定孔３を有した第一支持片４と、取付部２と第一支持片４とを有する外装下地材取付用金具１を自立するように支える第二支持片５とからなる。
【００１３】
固定孔３を有する第一支持片４は、固定孔３に固定具αを前方斜め上方から挿入できるように、固定孔３が起き上がるように、第一支持片の後方側が垂直方向上方に傾斜している。つまり取付部２の前方側に向かって垂直方向下方に且つ取付部２の後方側に向かって垂直方向上方に傾斜するように第一支持片４が形成されている。
【００１４】
前方支持端部６は、第一支持片４の前方側の端部（第一支持片４の傾斜下方の端部）（壁面Ｈの前方側の端部）であり、外装下地材取付用金具１の自立安定性や、グリップ性向上のために、外装下地材取付用金具１を置いた際に接地するように形成されている。
【００１５】
第ニ支持片５は、第一支持片４の傾斜上方の端部である支持片頂部８から先を垂直方向斜め下方に向けて屈曲して形成され、第ニ支持片５の端部である後方支持端部７は接地することで外装下地材取付用金具１を支えて、外装下地材取付用金具１が自立するように形成されている。
【００１６】
ここで、第ニ支持片５の後方支持端部７は、第一支持片４の斜面上方端部である支持片頂部８の垂直下方よりも後方側に存在するように形成されており、第ニ支持片５が外装下地材取付用金具１の後方側斜め下方の傾斜を持つようになり、このような傾斜を持つ第ニ支持片５の後方支持端部７が接地した場合には、外装下地材取付用金具１の自立安定性の向上と、後方支持端部７の接地部分でのグリップ性の向上、外装下地材取付用金具１に固定具αを留め付ける時などのずれを防止する効果等が得られる。
【００１７】
さらに、図２に示す実施例２のように、本発明の外装下地材取付用金具１は、第一支持片４の前方支持端部６や、第ニ支持片５の後方支持端部７に、接地部が点接触するような又は接地部が食い込むような、凸状の支持突起９を設けることで、外装下地材取付用金具１の接地部に対するグリップ性が向上し、施工時の外装下地材取付用金具１のずれを防止する効果が得られる。
【００１８】
また、本発明の外装下地材取付用金具１の形状については、実施例１、実施例２に挙げた以外にも各種の形状が考えられる。例えば、図３に示すように、第二支持片５は第一支持片４の側端部を屈曲することで形成してもよい。
【００１９】
図４に、胴縁取付用金具Ａの例を示す。
【００２０】
図５に、胴縁Ｂの例を示す。
【００２１】
外装下地材取付用金具１や胴縁取付用金具Ａ、胴縁Ｂの材質は、各種の鋼材、例えば溶融亜鉛-アルミニウム-マグネシウム合金めっき鋼板等の高耐蝕性のめっき鋼板、ステンレス、といったものがあるが、特に材質は限定されるものではない。
【００２２】
図６に本発明の外装下地材取付用金具１の使用例を示す。本発明の外装下地材取付用金具１は、建物の基礎の土台部Ｋ近辺の壁材の一部を削って除去することで壁材除去部Ｊを設け、その壁材除去部Ｊに外装下地材取付用金具１を設置し、固定孔３へ固定具αを挿入し基礎の土台部Ｋへの固定を行って使う。
【００２３】
なお、外装下地材取付用金具１を施工するために設けた壁材除去部Ｊは、例えば壁材がＡＬＣ外壁であれば、ＡＬＣ補修材にて埋め戻しを行っておくことが好ましい。
【００２４】
そして、基礎の土台部Ｋへ固定した外装下地材取付用金具１の取付部２に胴縁材等を固定する。このように本発明の外装下地材取付用金具１を用いることで、基礎の土台部Ｋ付近において十分な取付強度を得たいときに、胴縁Ｂ等を外装下地材取付用金具１を介して強固な基礎の土台部Ｋへ固定することができ、必要な取付強度を確保することができる。
【００２５】
例えば外壁のカバー改修の際に、既存壁面Ｈへの取り付けでは壁面Ｈの劣化等の問題などの理由から新規外装材や新規外装下地材の取付強度の確保が十分にできない場合があるが、そのような場合に本発明の外装下地材取付用金具１を活用することで取付強度の確保が可能となる。
【００２６】
また、特に、建物の基礎の土台部Ｋ付近に固定具を強固に固定するための適当な既存外壁の下地（アングル材やＨ型鋼等）が存在しない場合（例えばＡＬＣ外壁の縦壁挿入筋構法等の場合）であっても、本発明の外装下地材取付用金具１を活用することで取付強度の確保が可能となる。
【００２７】
もちろん、本発明の外装下地材取付用金具１の活用方法はこれらのケースに限定されるものではなく、各種の構造、改修、新築に用いて良いし、基礎の土台部Ｋ以外の場所に用いても良い。
【符号の説明】
【００２８】
１    外装下地材取付用金具
２    取付部
３    固定孔
４    第一支持片
５    第ニ支持片
６    前方支持端部
７    後方支持端部
８    支持片頂部
９    支持突起
Ａ    胴縁取付用金具
Ｂ    胴縁
Ｋ    土台部
α    固定具
Ｈ    壁面
Ｓ    スペーサー
Ｊ    壁材除去部
【図１】
2018172954.tif 000003
【図２】
2018172954.tif 000004
【図３】
2018172954.tif 000005
【図４】
2018172954.tif 000006
【図５】
2018172954.tif 000007
【図６】
2018172954.tif 000008